(57)【特許請求の範囲】
【請求項１】
室内機１と室外機２とで構成する主として冷房に使用するエアコン装置Ａであって、そのエアコン装置Ａの室外機２は後面に空気吸込み口３、前面に空気排出口４を備えており、
その後面の空気吸込み口３と間隔５を介して、前記室外機２が取り付けられたベース６から固定部材７を立ち上げ、
この固定部材７の上部には前記室内機１を前記室外機２の反対側に向けて取り付け、かつ室内機１と室外機２との連結配管８を前記固定部材７に固定して取り付けて、エアコン装置Ａを使用可能状態に設置しており、
前記ベース６は前記室外機２を取り付けた上ベース６ａと、キャスター９を取り付けた下ベース６ｂと、この上ベース６ａと下ベース６ｂとの間に介在させた伸縮機構１０とで構成し、前記エアコン装置Ａは前記キャスター９によって移動可能とすると共に、前記伸縮機構１０によって昇降可能になっており、
前記室内機１を設置した前記ベース６の後方側には仮設設備Ｂの壁面１１を配置し、この仮設設備Ｂの壁面１１には開閉自在な開口１１ａを設け、
前記キャスター９には仮設設備Ｂの壁面１１ａ側に移動して固定するロック手段９ａを設け、前記伸縮機構１０には伸長位置を保持する伸長固定手段１０ａを設け、
前記キャスター９と伸縮機構１０によって、前記仮設設備Ｂの開口１１ａからその仮設設備Ｂ内の所定の高さに移動した室内機１は、前記ロック手段９ａと伸長固定手段１０ａとによってその位置が固定されることを特徴とする仮設設備用エアコン装置。
【請求項２】
前記仮設設備Ｂには開口１１ａの上部で壁面１１と接続する開閉手段１１ｂを取り付け、
この開閉手段１１ｂと開口１１ａとの間には密着手段１１ｃを設けており、
前記開閉手段１１ｂは開口１１ａから前記室内機１が差込まれた状態で密着手段１１ｃによって開口１１ａの周縁と接続し、
開閉手段１１ｂによって開口１１ａが固定部材７を挟んで閉止されることを特徴とする請求項１記載の仮設設備用エアコン装置。
【請求項３】
前記室内機１と固定部材７との間には前記連結配管８を貫通させた閉止部材１２を取り付け、
該閉止部材１２と前記開口１１ａとの間には密着手段１１ｃを設けており、
前記閉止部材１２は前記室内機１が開口１１ａに差し込まれた状態で密着手段１１ｃによって開口１１ａの周縁と接続し、
仮設設備Ｂ内に室内機１が、仮設設備Ｂ外に固定部材７が位置した状態で開口１１ａが閉止されることを特徴とする請求項１記載の仮設設備用エアコン装置。
【請求項４】
前記伸縮機構１０は、上ベース６ａと下ベース６ｂとの間に配置した第１アーム１３ａと第２アーム１３ｂとをＸ字状に連結した連結機構１３と、該連結機構１３を伸縮させる駆動部１４とによって構成し、
前記第１アーム１３ａは一端を第１固定軸１５によって上ベース６ａの下面に回動可能に取付けると共に他端を下ベース６ｂの上面に沿って移動可能に取付け、かつ、第２アーム１３ｂは一端を第２固定軸１６によって下ベース６ｂの上面に回動可能に取り付けると共に他端を上ベース６ａの下面に沿って移動可能に取付け、
前記連結機構１３が駆動部１４によって上下方向に伸縮してエアコン装置Ａを昇降させることを特徴とする請求項１から請求項３に記載の仮設設備用エアコン装置。
【請求項５】
前記室外機２は内装する冷媒圧縮機１７がベース６の中央よりも連結機構１３の第１・第２固定軸１５・１６側に位置するように設置すると共に、
室内機１と室外機２との間の連結配管８を連結機構１３の第１・第２固定軸１５・１６側に配置したことを特徴とする請求項４に記載の仮設設備用エアコン装置。
【請求項６】
前記ベース６には室外機２よりも背が高いコ字状の支持枠１８を設け、該支持枠１８の上面に他の仮設設備用エアコン装置Ａの下ベース６ｂを載架して、エアコン装置Ａを積み上げ保管することを特徴とする請求項１から５に記載の仮設設備用エアコン装置。
【請求項７】
前記固定部材７は前記支持枠１８の上面と同じ高さ位置で上下に分割し、固定部材７の上下の接続部分に丁番１９を配置し、室内機１を取付けた固定部材７の上部を支持枠１８の上面に重なるように折りたたんで保管することを特徴とする請求項６記載の仮設設備用エアコン装置。
【発明の詳細な説明】
【技術分野】
【０００１】
この発明はテントなどの仮設設備で主として冷房を行うことができる仮設設備用エアコン装置に関する。
【背景技術】
【０００２】
従来、仮設設備のほぼ密閉された室内空間を冷房暖房するエアコン装置としては、外部に冷暖房機を設置して、仮設設備の空調空気吹き込み口から冷風や温風を吹き込んで冷房や暖房を行う方式が一般的であった。しかしながら、この方式は効率や騒音の面で問題がある。このため出願人は先の提案で仮設設備に適するエアコン装置として、特許文献１に示すように冷房と暖房が兼用できるヒートポンプエアコンで実現したエアコン装置を提案した。
【０００３】
このエアコン装置は室内機と室外機を一つのベース上に取り付けて一体に構成し、室内機を仮設設備の内部に位置させることで、通常の室内と同様に室内空気を取り込んで冷却・加熱して冷風・温風を作り出すことができるようにしている。そして、最近の市販のエアコン装置の室内機は、横長の壁掛けタイプが主流となっているから、特許文献１では伸縮する支柱に壁掛けタイプの室内機を取り付け、冷房運転時には支柱を伸ばして室内機を高く配置して、仮設設備の高い位置から床面に向けて冷風・温風を吹出すことで、仮設設備内が快適な空調空間を作り出すことができるエアコン装置を提案した。
【特許文献１】特開２００３−１３９３８３号公報
【発明の開示】
【発明が解決しようとする課題】
【０００４】
特許文献１のエアコン装置は仮設設備の側壁の下端から室内機を差入れる構造であるため、仮設設備の側壁の下端はエアコン装置の差込みができるような形状になっている必要がある。しかしながら、仮設設備は必ずしもエアコン装置の差込みができる形状にはなっていないため全ての仮設設備に利用できるものではなく、エアコン装置が使用できる仮設設備が限定されてしまっており、エアコン装置の汎用性がないものである。
【０００５】
この発明はエアコン装置の室内機が仮設設備の側壁に設けられた開口から差込みでき、なおかつ側壁のどこの位置に開口があっても使用できるようにして、仮設設備を選ばない汎用性のあるエアコン装置を提案するものである。
【課題を解決するための手段】
【０００６】
この発明は上記の課題を解決するもので、室内機１と室外機２とで構成する主として冷房に使用するエアコン装置Ａであって、そのエアコン装置Ａの室外機２は後面に空気吸込み口３、前面に空気排出口４を備えており、その後面の空気吸込み口３と間隔５を介して、前記室外機２が取り付けられたベース６から固定部材７を立ち上げ、この固定部材７の上部には前記室内機１を前記室外機２の反対側に向けて取り付け、かつ室内機１と室外機２との連結配管８を前記固定部材７に固定して取り付けて、エアコン装置Ａを使用可能状態に設置しており、前記ベース６は前記室外機２を取り付けた上ベース６ａと、キャスター９を取り付けた下ベース６ｂと、この上ベース６ａと下ベース６ｂとの間に介在させた伸縮機構１０とで構成し、前記エアコン装置Ａは前記キャスター９によって移動可能とすると共に、前記伸縮機構１０によって昇降可能になっており、前記室内機１を設置した前記ベース６の後方側には仮設設備Ｂの壁面１１を配置し、この仮設設備Ｂの壁面１１には開閉自在な開口１１ａを設け、前記キャスター９には仮設設備Ｂの壁面１１ａ側に移動して固定するロック手段９ａを設け、前記伸縮機構１０には伸長位置を保持する伸長固定手段１０ａを設け、前記キャスター９と伸縮機構１０によって、前記仮設設備Ｂの開口１１ａからその仮設設備Ｂ内の所定の高さに移動した室内機１は、前記ロック手段９ａと伸長固定手段１０ａとによってその位置が固定されることを特徴とするものである。
【０００７】
また、仮設設備Ｂには開口１１ａの上部で壁面１１と接続する開閉手段１１ｂを取り付け、この開閉手段１１ｂと開口１１ａとの間には密着手段１１ｃを設けており、前記開閉手段１１ｂは開口１１ａから前記室内機１が差込まれた状態で密着手段１１ｃによって開口１１ａの周縁と接続し、開閉手段１１ｂによって開口１１ａが固定部材７を挟んで閉止されるので、仮設設備Ｂの室内と室外を密封することができ、外部からの風の侵入を防止できる。
【０００８】
また、室内機１と固定部材７との間には前記連結配管８を貫通させた閉止部材１２を取り付け、該閉止部材１２と前記開口１１ａとの間には密着手段１１ｃを設けており、前記閉止部材１２は前記室内機１が開口１１ａに差し込まれた状態で密着手段１１ｃによって開口１１ａの周縁と接続し、仮設設備Ｂ内に室内機１が、仮設設備Ｂ外に固定部材７が位置した状態で開口１１ａが閉止されるので、仮設設備Ｂの室内と室外を密封することができ、外部からの風の侵入を防止できる。
【０００９】
また、伸縮機構１０は、上ベース６ａと下ベース６ｂとの間に配置した第１アーム１３ａと第２アーム１３ｂとをＸ字状に連結した連結機構１３と、該連結機構１３を伸縮させる駆動部１４とによって構成し、前記第１アーム１３ａは一端を第１固定軸１５によって上ベース６ａの下面に回動可能に取付けると共に他端を下ベース６ｂの上面に沿って移動可能に取付け、かつ、第２アーム１３ｂは一端を第２固定軸１６によって下ベース６ｂの上面に回動可能に取り付けると共に他端を上ベース６ａの下面に沿って移動可能に取付け、前記連結機構１３が駆動部１４によって上下方向に伸縮してエアコン装置Ａを昇降させるもので、駆動部１４の操作によってエアコン装置Ａの昇降が容易にできるものである。
【００１０】
また、室外機２は内装する冷媒圧縮機１７がベース６の中央よりも連結機構１３の第１・第２固定軸１５・１６側に位置するように設置すると共に、室内機１と室外機２との間の連結配管８を連結機構１３の第１・第２固定軸１５・１６側に配置したから、連結機構１３が伸長してエアコン装置Ａを上昇したときも、エアコン装置Ａは重量バランスを維持できるものであり、転倒の心配はない。
【００１１】
また、ベース６には室外機２よりも背が高いコ字状の支持枠１８を設け、該支持枠１８の上面に他の仮設設備用エアコン装置Ａの下ベース６ｂを載架して、エアコン装置Ａを積み上げ保管することができるようにしたから、倉庫に沢山のエアコン装置を積み上げて保管できる。
【００１２】
また、固定部材７は前記支持枠１８の上面と同じ高さ位置で上下に分割し、固定部材７の上下の接続部分に丁番１９を配置し、室内機１を取付けた固定部材７の上部を支持枠１８の上面に重なるように折りたたんで保管することができるようにしたから、エアコン装置Ａを積み上げたときの高さを低く抑えることができる。
【発明の効果】
【００１３】
この発明は、ベース６の室外機２の後方に固定部材７を立ち上げ、この固定部材７の上部に室内機１を取付け、この室内機１と室外機２とはあらかじめ配管類や電気配線類の連結配管８の取付けを済ませており、この状態で室外機２に電源を供給すれば直ちに起動できる状態になっている。
【００１４】
前記ベース６は室外機２を取付けた上ベース６ａと、キャスター９を取付けた下ベース６ｂと、この上ベース６ａと下ベース６ｂとの間に介在させた伸縮機構１０とによって構成しており、エアコン装置Ａはキャスター９によって容易に移動させることができると共に、伸縮機構１０によって昇降して室内機１の高さを変えることができるようになっている。このため、室内機１と室外機２を取り付けた上ベース６ａを最下位置まで下げて背を低くしておけばエアコン装置Ａが安定するので保管時や輸送時に転倒する心配がない。
【００１５】
一方、仮設設備Ｂの壁面１１には開閉自在な開口１１ａを設けており、エアコン装置Ａはキャスター９によって仮設設備Ｂの壁面１１側に移動し、伸縮機構１０によって壁面１１の開口１１ａの高さに室内機１を移動し、開口１１ａから仮設設備Ｂ内に室内機１を位置させて固定できるようにしたから、壁面１１に開口１１ａを備えた仮設設備Ｂであれば、壁面１１のどの位置に開口１１ａが設けてあってもエアコン装置Ａが設置できるようになった。
【００１６】
また、仮設設備Ｂの壁面１１の開口１１ａには開閉手段１１ｂを設け、エアコン装置Ａの室内機１を開口１１ａから仮設設備Ｂ内に配置してから、開閉手段１１ｂを開口１１ａの周縁に接続すると、開口１１ａが固定部材７を挟んで閉止されるから、効率良く仮設設備Ｂの室内空間を空気調和できる。
【００１７】
また、エアコン装置Ａの室内機１と固定部材７との間には閉止部材１６を設け、エアコン装置Ａは室内機１を開口１１ａから仮設設備Ｂ内に配置し、固定部材７を仮設設備Ｂ外に配置し、この状態で閉止部材１６を開口１１ａの周縁に接続すれば開口１１ａが閉止できるから、効率良く仮設設備Ｂの室内空間を空気調和できる。
【００１８】
また、前記伸縮機構１０は、上ベース６ａと下ベース６ｂとの間に配置した第１アーム１３ａと第２アーム１３ｂとをＸ字状に連結した連結機構１３と、該連結機構１３を伸縮させる駆動部１４とによって構成しており、この連結機構１３は簡単な構造で大きな力を得ることができるので、重量のあるエアコン装置Ａであっても容易に昇降でき、コストの増加を抑えて取扱いやすいエアコン装置Ａが提供できた。
【００１９】
また、室外機２は内装する冷媒圧縮機１７がベース６の中央よりも第１・第２固定軸１５・１６側に位置するように配置し、更に連結配管８を第１・第２固定軸１５・１６側に配置しているので、エアコン装置Ａを上昇時に第１・第２固定軸１５・１６側に回動する第１・第２アーム１３ａ・１３ｂの上部にエアコン装置Ａの重量物が位置しているから、エアコン装置Ａを上昇させたときも重量バランスを保って安定しているので、エアコン装置Ａは転倒する心配がないものである。
【００２０】
また、ベース６には室外機２よりも背が高いコ字状の支持枠１８を設け、この支持枠１８の上に他のエアコン装置Ａを積み重ねて保管できるようにしており、伸縮機構１０を備えたエアコン装置Ａは保管時には背が低くできたから、積み重ねても高さを低く抑えることができ、倉庫に大量に保管できるようになる。
【００２１】
更に、固定部材７を支持枠１８の上面と同じ高さで上下に分割し、室内機１を取付けた上部の固定部材７を折りたたんで支持枠１８の上面に乗せることができるから、二段積み、三段積みにしたときに、一番上に載せたエアコン装置Ａを折りたためば、高さを低く抑えることができ、エアコン装置Ａが倉庫に大量に保管できる。
【発明を実施するための最良の形態】
【００２２】
以下、本発明の実施の形態について図面を参照して説明する。
図１は使用可能状態で保管できるエアコン装置の設置状態を示す一部切欠断面図であって、Ａはエアコン装置、Ｂはこのエアコン装置Ａによって空気調和できる仮設設備、Ｃは仮設設備Ｂの室内の空間であり、この種の仮設設備Ｂは安価な石油ストーブなどでも暖房できるから、仮設設備Ｂの利用者からは冷房需要を望まれ、エアコン装置Ａは冷暖房タイプではなくて冷房専用であってもよい。
【００２３】
１は仮設設備Ｂの内部の空間Ｃに位置される室内機、２は仮設設備Ｂの外部に設置される室外機、８は室内機１と室外機２とを連結する冷媒配管や電気配線などの連結配管である。１７は室外機２に設置した冷媒圧縮機、２０は室外熱交換器、２１は吸込み側に室外熱交換器２０を配置させた送風ファン、３は室外機２の後面側に設けて室外熱交換器２０と対向させた空気吸込み口、４は室外機２の前面側に設けて送風ファン２１の空気を室外機２の外へ排出するための空気排出口であり、前記送風ファン２１が回転すると室外機２の外の空気は空気吸込み口３から室外熱交換器２０を通過して吸込まれて、この室外熱交換器２０を冷却した後で、送風ファン２１によって空気排出口４から室外機２の外へ排出される。前記冷媒圧縮機１７によって加圧されて高温になった冷媒は室外熱交換器２０に送られ、送風ファン２１によって取り込まれた空気が室外熱交換器２０を通過する時に放熱して液体となり、前記連結配管８を経て室内機１に送られる。室内機１ではこの液状の冷媒が気化する時に仮設設備Ｂの空間Ｃを冷房しており、この室内機１で気化した冷媒は再び室外機２に送られて冷媒圧縮機１７で加圧される循環を行っており、仮設設備Ｂの空間Ｃを冷房することができる。
【００２４】
６は前記室外機２を設置するための枠で構成したベース、７はベース６の後端部から垂直に立ち上げた固定部材であり、このベース６は室外機２が設置できれば平板状のものや四角枠などで実施でき、図１はこの兼用型であり、設置する室外機２の両側に位置する平行部分のあるベース横枠６ｃとその上に差し渡された平板で構成され、この平板の上に室外機２が設置されている。また、固定部材７はベース６の後端の両側から立ち上げた縦枠７ａとその上端部を連結する上枠もしくは連結枠によって構成されており、この上枠もしくは連結枠には前記室外機２とは反対側に向けて前記室内機１が取付けられている。
【００２５】
７ｂは設置された室外機２の後方で固定部材７の２本の縦枠７ａを差し渡すように配置された横部材、５はこの横部材７ｂと前記室外機２との間に形成される間隔であり、前記室外機２の送風ファン２１が作動するときにこの間隔５から室外機２の後面の空気吸込み口３へ空気を吸引することができる。後記するようにこのエアコン装置Ａは仮設設備Ｂのテント生地で作られた側面に接近して設置されるが、この横部材７ｂによってこのテント生地の動きが止められて、テント生地が室外機２の後面の空気吸込み口３に吸い付いて、空気不足の状態を発生させることを防いでいる。
【００２６】
２２は室内機１に接続したドレン配管であり、前述の冷媒配管や電気配線類などからなる連結配管８と同様に、ドレン配管２２も前記固定部材７の縦枠７ａに沿わせて取り付けられ、この２本の縦枠７ａの片側に一緒に、もしくは両側の縦枠７ａの夫々に固定されている。このドレン配管２２は仮設設備Ｂ内の空気を冷却したときに除湿された水分が排出されるように室内機１に接続されており、このドレン配管２２の他端は室外機２付近に開口してあれば、仮設設備Ｂの外へ排水することができる。したがって、エアコン装置Ａは図２に示すように前記ベース６と固定部材７とによって一体化された状態で、室内機１と室外機２とを連結する連結配管８も固定部材７に固定されているから、電源さえ供給すれば直ちに使用可能な状態になっており、不意に発生する災害時においてもエアコン装置の設置のための業者による工事は不要となり、だれでも直ちに使用することができる。
【００２７】
６ａはベース６を構成する上ベース、６ｂは上ベース６ａの下部に位置する下ベースであり、ベース６はこの上ベース６ａと下ベース６ｂとによって構成され、室外機２と固定部材７は上ベース６ａに設置されている。９は下ベース６ｂに取り付けたキャスターであり、室内機１と室外機２が一体となって重量があるエアコン装置Ａでもこのキャスター９によって簡単に移動できるようになっている。
【００２８】
９ａはキャスター９に取り付けたロック手段であり、エアコン装置Ａを所定の位置に移動させた後、ロック手段９ａを操作してキャスター９を固定することでエアコン装置Ａが固定でき、エアコン装置Ａを使用中に移動することはなく、ロック手段９ａを操作してキャスター９の固定を解除すれば、エアコン装置Ａが移動できるようになる。
【００２９】
１０は上ベース６ａと下ベース６ｂとの間に介在させた伸縮機構であり、伸縮機構１０を上ベース６ａと下ベース６ｂとの間で伸縮させることによって、上ベース６ａが上下に移動するので、この上ベース６ａに設置したエアコン装置Ａを昇降させることができる。そして、エアコン装置Ａは室内機１と室外機２との位置関係が固定されたまま昇降するから、室内機１と室外機２との間に配置した連結配管８は一般の家屋に使用するものと同じものが使用できるので、エアコン装置Ａは安価に製造できる。
【００３０】
１０ａは伸縮機構１０に取り付けた伸長固定手段であり、伸縮機構１０を操作してエアコン装置Ａを上昇もしくは下降させた後、伸長固定手段１０ａによって伸縮機構１０を固定することによって、エアコン装置Ａが所定高さに保持できる。
【００３１】
図１に示す実施例において、２３はテント生地や簡易パネルなどで作られた仮設設備Ｂの屋根部材、１１は仮設設備Ｂの壁面であり、実施例の仮設設備Ｂはテント生地で屋根部材２３や壁面１１を構成する一般的なテントの事例を開示しているが、その他の実施例としては簡易パネルを連結して作る仮設設備Ｂであっても良い。１１ａはこの仮設設備Ｂの壁面１１に形成した開口、１１ｂは開口１１ａを開閉するためのテント生地で作られた開閉手段であり、開閉手段１１ｂは開口１１ａの上部のテント生地に縫い合わせている。また、簡易パネルで構成した壁面１１を使うときは、開口１１ａに着脱自在なパネルを取り付けてもよい。
【００３２】
エアコン装置Ａを設置するときは開口１１ａを開き、エアコン装置Ａはキャスター９によって移動してエアコン装置Ａの室内機１を壁面１１に近づけ、次に伸縮機構１０によってエアコン装置Ａを昇降して室内機１を壁面１１の開口１１ａと同じ高さに位置させ、前記伸長固定手段１０ａによって室内機１の高さを固定する。この状態でエアコン装置Ａを壁面１１に向けて更に移動して室内機１を開口１１ａから差込めば仮設設備Ｂ内に位置させることができ、キャスター９をロック手段９ａで固定することでエアコン装置Ａを設置できる。
【００３３】
エアコン装置Ａは室内機１を仮設設備Ｂに差込んだ後でも、キャスター９と伸縮機構１０とによって室内機１を移動することができるので、室内機１を最適位置に移動して固定することができ、壁面１１に開口１１ａを備えた仮設設備Ｂであれば簡単にエアコン装置Ａが設置できるものとなり、災害時には直ちに使用することが可能となった。
【００３４】
従来のエアコン装置Ａでは、設置できる仮設設備Ｂが特定されており、また、仮設設備Ｂもエアコン装置Ａが設置できるように改造した専用の仮設設備Ｂが必要となることがあったが、この発明のエアコン装置Ａは仮設設備のどこに開口があっても設置できるものであり、ほとんどの仮設設備Ｂの壁面１１には換気のための開口１１ａが形成されているので、仮設設備Ｂを選ばない汎用性のあるエアコン装置Ａが実現できた。
【００３５】
１１ｃは開口１１ａの周縁と開閉手段１１ｂとの間に設けた面ファスナーで構成する密着手段であり、図２の実施例ではテント生地の開閉手段１１ｂが開口１１ａの上部で縫い合わされているので、面ファスナーで構成する密着手段１１ｃは開口１１ａの側方と下方の周縁に取付けられている。エアコン装置Ａを設置していないときは、開閉手段１１ｂは開口１１ａの周縁と密着させて開口１１ａを閉止しており、仮設設備Ｂの室内と室外とを密封することができる。
【００３６】
一方、エアコン装置Ａを設置するときは、エアコン装置Ａの室内機１を開口１１ａから仮設設備Ｂ内に位置させた後、開閉手段１１ｂを開口１１ａの周縁の密着手段１１ｃと密着させ、このとき開閉手段１１ｂは固定部材７の縦枠７ａを挟み込んで開口１１ａを閉止しており、仮設設備Ｂの室内と室外はほぼ密封することができ、エアコン装置Ａを設置したときも外部から隙間風が入るのを防止することができる。
【００３７】
また、図３はこの発明の他の実施例に係るものであり、開口１１ａと開閉手段１１ｂは上部にも密着手段１１ｃを備えており、開閉手段１１ｂは壁面１１から取外し可能となっている。この場合の密着手段１１ｃは開口１１ａと開閉手段１１ｂの周縁の全周にわたって端接続タイプのファスナーを取り付けて構成するとよい。
【００３８】
１２は室内機１と固定部材７との間に取り付けた閉止部材であり、室内機１と室外機２との間に配置した連結配管８とドレン配管２２は閉止部材１２を貫通させて取付けられている。この閉止部材１２は仮設設備Ｂの開口１１ａと同じサイズに設けてあり、閉止部材１２の周縁の全周にわたってファスナーが取付けられている。このため、エアコン装置Ａを設置するときには仮設設備Ｂの開口１１ａから開閉手段１１ｂを取外し後、エアコン装置Ａの室内機１を開口１１ａの高さに合わせて開口１１ａから仮設設備Ｂ内に差込み、室内機１が仮設設備Ｂ内に、固定部材７が仮設設備Ｂ外に位置した状態でロック部９ａでキャスター９を固定し、閉止部材１２と開口１１ａとを密着手段１１ｃであるファスナーによって閉ざすことによって開口１１ａが閉止され、仮設設備Ｂ内の室内を密封することができる。
【００３９】
また、図４に示す実施例において、１３ａ・１３ｂは上ベース６ａと下ベース６ｂとの間に配置した第１・第２アーム、１５は第１アーム１３ａを回動可能に支持する上ベース６ａの下面に設けた第１固定軸、１５ａは第１固定軸１５とは反対側の第１アーム１３ａの端部に設けたローラ部、１５ｂは下ベース６ｂの上面に形成したガイドレールであり、第１アーム１３ａはローラ部１５ａがガイドレール１５ｂに嵌合して下ベース６ｂの上面に沿って移動可能に支持されている。１６は第２アーム１３ｂを回動可能に支持する下ベース６ｂの上面に設けた第２固定軸、１６ａは第２固定軸１６とは反対側の第２アーム１３ｂの端部に設けたローラ部、１６ｂは上ベース６ａの下面に形成したガイドレールであり、第２アーム１３ｂのローラ部１６ａがガイドレール１６ｂに嵌合して上ベース６ａの下面に沿って移動可能に支持されている。
【００４０】
１３ｃは第１・第２アーム１３ａ・１３ｂの交差部で第１・第２アーム１３ａ・１３ｂを連結する連結軸であり、この連結軸１３ｃによって第１・第２アーム１３ａ・１３ｂがＸ字状に連結されて連結機構１３を構成している。１４は連結機構１３を駆動する油圧シリンダで構成する駆動部、１４ａは駆動部１４の操作部であり、この操作部１４ａは油圧シリンダのシリンダロッドを伸ばすためのレバーと、シリンダロッドを縮めるためのバルブとで構成している。前記駆動部１４は連結機構１３の連結軸１３ｃと接続しており、操作部１４ａによって駆動部１４を伸縮させると、駆動部１４が連結軸１３ｃを介して第１・第２アーム１３ａ・１３ｂを回動させ、連結機構１３が伸縮するので上ベース６ａが昇降するものである。
【００４１】
前記操作部１４ａのレバーを操作すると駆動部１４が連結機構１３の連結軸１３ｃを駆動し、第１・第２アーム１３ａ・１３ｂはローラ部１５ａ・１６ａを設けた駆動端がガイドレール１５ｂ・１６ｂに沿って固定軸側に移動しながら回動して連結機構１３は上下方向に伸びるので上ベース６ａが押上げられ、上ベース６ａが上昇する。一方、操作部１４ａのバルブを操作すると第１・第２アーム１３ａ・１３ｂはローラ部１５ａ・１６ａが固定軸とは反対側に移動しながら回動し、連結機構１３は横方向に伸びて上下方向が縮むので上ベース６ａが降下する。
【００４２】
操作部１４ａの操作によって上ベース６ａを昇降させることができ、連結機構は大きな力を得ることができるから、重量のあるエアコン装置Ａであっても上ベース６ａの昇降は軽い力で操作できるものであり、駆動部１４の操作は操作部１４ａであるレバー操作とバルブの開閉による簡単な方法であるから、非常に取り扱いやすいエアコン装置Ａが提供できるものとなった。
【００４３】
また、伸縮機構１０を構成する連結機構１３は、上ベース６ａの上昇と共に第１・第２アーム１３ａ・１３ｂが第１・第２固定軸１５・１６側に移動し、最上部では第１・第２アーム１３ａ・１３ｂの可動端がベース６の中央付近まで移動し、上ベース６ａの片側を支持する構造になっている。
【００４４】
一方、室外機１は横長の枠体の片側に空気吸込み口３と空気排出口４が配置され、この空気吸込み口３と空気排出口４との間の枠体内に室外熱交換器２０と送風ファン２１が配置されており、室外熱交換器２０のない側に冷媒圧縮機１７が配置されているため、室外機２は重量のある冷媒圧縮機１７を設置した側が重くなっている。
【００４５】
この発明では、室外機２は内装する冷媒圧縮機１７が連結機構１３の第１・第２固定軸１５・１６側に位置するようにベース６に配置し、また、ベース６から立ち上げた２本の固定部材７は室内機１の横幅よりもその寸法を短くし、この固定部材７はベース６の中央よりも連結機構１３の第１・第２固定軸１５・１６側に位置するように取付けている。更に、室内機１と室外機２との間の連結配管８は２本の固定部材７のうちの第１・第２固定軸１５・１６側に位置する縦枠７ａに沿って配置している。
【００４６】
このため、エアコン装置Ａはベース６の中央部より連結機構１３の第１・第２固定軸１５・１６が取り付けられた側が重くなっており、伸縮機構１０によって上ベース６ａを上昇させたときに、エアコン装置Ａの重量を確実に２本のアームによって支えることができるので、上ベース６ａを上昇させたときも重量バランスが保たれてエアコン装置Ａは安定するものであり、上ベース６ａを上昇させた状態のままエアコン装置Ａを移動させたり、仮設設備Ｂに設置しても転倒する恐れはないものである。
【００４７】
また、仮設設備Ｂの壁面１１に設けた開口１１ａの横幅寸法が室内機１の横幅よりも短いときでも、室内機１を横向きにして室内機１を側板から開口１１ａに差し込むことができ、エアコン装置Ａはキャスター９を備えているから室内機１を開口１１ａに差込んだ状態でも容易にエアコン装置Ａの向きを変えることができ、仮設設備Ｂの開口１１ａの幅が狭いときでもエアコン装置Ａが簡単に設置できる。
【００４８】
また、このエアコン装置Ａは伸縮機構１０によって上ベース６ａを上昇させるのは仮設設備Ｂへの設置時のみであり、エアコン装置Ａの不使用時には上ベース６ａを下降位置まで下げて背を低くしておくことができるので、倉庫での保管やコンテナーなどでの輸送時にエアコン装置Ａが安定して転倒する心配はなく、仮設設備Ｂのための最適なエアコン装置Ａを提供することができた。
【００４９】
１８は上ベース６ａの両側部から室外機２より高い位置に立ち上げたコ字状の支持枠であり、このコ字状の支持枠１８は上ベース６ａに前後に２本配置されており、支持枠１８の水平部が室外機２の上方に位置して室外機２を保護している。
【００５０】
また、上ベース６ａの後縁から立ち上げられた固定部材７に取り付けた室内機１が、室外機２よりも高い位置に設置されていても、ベース６ａの後縁から立ち上げられた固定部材７に取り付けた室内機１の背の高さを支持枠１８の背の高さより低く設定すれば、支持枠１８の水平部の上に他のエアコン装置Ａの下ベース６ｂを載架することが可能となり、下に位置するエアコン装置Ａの室内機１の上方に、上に載架したエアコン装置Ａの室内機１を位置させることができる。このため、この発明のエアコン装置Ａは災害時に備えて倉庫内に２段積み、３段積みにして保管できるものであり、限られたスペースの中で多くのエアコン装置Ａが保管できる。
【００５１】
また、図５に示す実施例において、固定部材７は支持枠１８の水平部の上面と同じ高さで上下に分割したものとなっており、１９は上下に分割した固定部材７の接続部分に設けた丁番であり、室内機１はこの丁番１９より上部の固定部材７に取付けている。１９ａは上下の固定部材７の間に設けた係合部であり、係合部１９ａを外すと固定部材７の上部は丁番１９を支点にして支持枠１８側に向けて折畳むことができるようになっており、折畳んだ固定部材７は支持枠１８の上面にのせることができる。このため、２段積み、３段積みしたときには最上段にのせたエアコン装置Ａの固定部材７を折畳めば高さを低くすることができ、更に効率良く保管ができるようになった。
【図面の簡単な説明】
【００５２】
【図１】この発明のエアコン装置の使用状態を示す一部切欠断面図である。
【図２】この発明の実施例のエアコン装置を使用できる仮設設備の斜視図である。
【図３】この発明の他の実施例のエアコン装置の使用状態を示す一部切欠断面図である。
【図４】図３に示す実施例のエアコン装置を正面側からみた一部切欠断面図である。
【図５】この発明の実施例のエアコン装置を積み上げた保管状態の説明図である。
【符号の説明】
【００５３】
Ａ    エアコン装置
Ｂ    仮設設備
１    室内機
２    室外機
３    空気吸込み口
４    空気排出口
５    間隔
６    ベース
６ａ  上ベース
６ｂ  下ベース
７    固定部材
８    連結配管
９    キャスター
９ａ  ロック手段
１０    伸縮機構
１０ａ  伸長固定手段
１１    壁面
１１ａ  開口
１１ｂ  開閉手段
１１ｃ  密着手段
１２    閉止部材
１３    連結機構
１３ａ  第１アーム
１３ｂ  第２アーム
１４    駆動部
１５    第１固定軸
１６    第２固定軸
１７    冷媒圧縮機
１８    支持枠
１９    丁番
【図１】
0004736730.tif 000002
【図２】
0004736730.tif 000003
【図３】
0004736730.tif 000004
【図４】
0004736730.tif 000005
【図５】
0004736730.tif 000006